(57)【要約】【課題】床材から立設配置される柱部材が隅角部に設けられていない住宅ユニットを、容易且つ安定した状態で吊上げることのできる吊上げ構造を提供する。【解決手段】柱部材が設けられていない床材の隅角部１７ａには仮設吊り支柱１８を立設配置すると共に、これの上端に一端部を固定した仮設支持梁１９を床材１１の一辺部１５の上方に配設し、且つ仮設支持梁１９の他端部を他方の隅角部１７ｂに立設配置した柱部材１２の上端に固定することにより、仮設支持梁１９と、仮設吊り支柱１８と、柱部材１２とによる門型支持枠２０を形成する。仮設支持梁１９に固定した一対の吊上げ支持金具２１に、これらの中間部の上方から吊下げられた一対の吊上げ線状部材２２を各々係止して、一対の吊上げ線状部材２２と、反対側の一辺部の隅角部上方に係止した他の一対の吊上げ線状部材とを介して、住宅ユニットを４箇所の偶角部１７ａ，１７ｂで吊上げる。【選択図】　　　　図１
2004084326.tif 000002
【特許請求の範囲】
【請求項１】
ユニット住宅を構成する複数の住宅ユニットのうち、６面体形状に割付けられ、床材から立設配置される柱部材が当該床材の４箇所の隅角部の少なくとも一箇所には設けられていない住宅ユニットを吊上げるための吊上げ構造であって、
前記柱部材が設けられていない床材の隅角部には、前記床材に下端を固定した仮設吊り支柱を立設配置すると共に、該仮設吊り支柱の上端に一端部を固定した仮設支持梁を前記床材の一辺部の上方において当該一辺部と平行に配設し、
且つ該仮設支持梁の他端部を前記一辺部の他方の隅角部に下端を固定して立設配置した柱部材又は他の仮設吊り支柱の上端に固定することにより、前記仮設支持梁と、これの両側の前記仮設吊り支柱と、前記柱部材又は他の仮設吊り柱材とによる門型支持枠を形成し、
前記仮設吊り支柱と、前記柱部材又は他の仮設吊り支柱との上方に配置して前記仮設支持梁に固定した一対の吊上げ支持金具に、該一対の吊上げ支持金具の中間部の上方から吊下げられた一対の吊上げ線状部材を各々係止して、該一対の吊上げ線状部材と、前記一辺部と平行な反対側の一辺部の両側の隅角部上方に係止した他の一対の吊上げ線状部材とを介して、前記住宅ユニットを４箇所の偶角部で吊上げることを特徴とする住宅ユニットの吊上げ構造。
【請求項２】
前記一辺部と平行な反対側の一辺部にもまた、前記仮設支持梁と、これの両側の前記仮設吊り支柱と、前記柱部材又は他の仮設吊り柱材とによる門型支持枠が設けられ、前記他の一対の吊上げ線状部材は、該門型支持枠の仮設支持梁に固定した一対の吊上げ支持金具に各々係止される請求項１に記載の住宅ユニットの吊上げ構造。
【発明の詳細な説明】
【０００１】
【発明の属する技術分野】
本発明は、住宅ユニットの吊上げ構造に関し、特にユニット住宅を構成する複数の住宅ユニットのうち、６面体形状に割付けられ、床材から立設配置される柱部材が当該床材の４箇所の隅角部の少なくとも一箇所には設けられていない住宅ユニットを吊り上げるための吊上げ構造に関する。
【０００２】
【従来の技術及び発明が解決しようとする課題】
近年、住宅建築物の施工の迅速化や高精度化を図るべく、予め工場等で形成された複数の住宅ユニットを建築現場で組み立てて構築するユニット住宅が開発されている。このようなユニット住宅においては、形成された各住宅ユニットを例えば運送用のトラック等に積み込んで建築現場に搬入し、例えばクレーン等の吊上げ用の重機を用いて吊上げて所定の位置に設置し、他の住宅ユニットと共に接合一体化することによってユニット住宅を組み立てる。
【０００３】
また、ユニット住宅は、例えばトラックの荷台等に積み込み易いように、住宅内の各空間（部屋等）を分断して６面体形状に割付けられた住宅ユニットを含む複数の住宅ユニットによって構成される場合が多い。このような６面体形状に割付けられた住宅ユニットは、６面体の各綾線に配置される１２本の骨組み部材が全て揃うことによって吊上げ時における安定した構造となるが、住宅ユニットの割付けの仕方によっては、他の住宅ユニットとの取り合わせ等の関係で、４方を囲む各側壁の一部又は全部が設けられず、したがって床材から立設配置される柱部材が、当該床材の４箇所の隅角部の少なくとも一箇所には取り付けられていない住宅ユニットが形成されることになる。このような住宅ユニットでは、４箇所の隅角部のうちの少なくとも１箇所においては、骨組みとなる柱部材の上端にワイヤーやチェーン等の吊上げ線状部材を取り付けて当該住宅ユニットを吊り上げることができないため、安定した状態で住宅ユニットの吊上げ作業や据付け作業を行うことが困難だった。
【０００４】
すなわち、このような住宅ユニットのための従来の吊上げ構造によれば、柱部材が立設配置されていない隅角部では、吊上げ線状部材を床材において玉掛けして吊上げることになるため、他の隅角部で柱部材の上端に係止された他の吊上げ線状部材の長さとの相違を解消して、住宅ユニットを略水平に保持して吊上げることができるように、重量バランスを考慮しつつ各吊上げ線状部材の長さを調整する作業に多くの手間と相当の熟練を要することになる。また吊上げ線状部材を床材において玉掛けして吊上げようとすると、玉掛け位置が住宅ユニットの重心よりも低い位置となるため、吊上げた住宅ユニットの安定性が悪くなる。
【０００５】
本発明は、このような従来の課題に着目してなされたものであり、床材から立設配置される柱部材が当該床材の４箇所の隅角部の少なくとも一箇所には設けられていない６面体形状に割付られた住宅ユニットを、容易且つ安定した状態で吊上げることのできる住宅ユニットの吊上げ構造を提供することを目的とする。
【０００６】
【課題を解決するための手段】
本発明は、ユニット住宅を構成する複数の住宅ユニットのうち、６面体形状に割付けられ、床材から立設配置される柱部材が当該床材の４箇所の隅角部の少なくとも一箇所には設けられていない住宅ユニットを吊上げるための吊上げ構造であって、前記柱部材が設けられていない床材の隅角部には、前記床材に下端を固定した仮設吊り支柱を立設配置すると共に、該仮設吊り支柱の上端に一端部を固定した仮設支持梁を前記床材の一辺部の上方において当該一辺部と平行に配設し、且つ該仮設支持梁の他端部を前記一辺部の他方の隅角部に下端を固定して立設配置した柱部材又は他の仮設吊り支柱の上端に固定することにより、前記仮設支持梁と、これの両側の前記仮設吊り支柱と、前記柱部材又は他の仮設吊り柱材とによる門型支持枠を形成し、前記仮設吊り支柱と、前記柱部材又は他の仮設吊り支柱との上方に配置して前記仮設支持梁に固定した一対の吊上げ支持金具に、該一対の吊上げ支持金具の中間部の上方から吊下げられた一対の吊上げ線状部材を各々係止して、該一対の吊上げ線状部材と、前記一辺部と平行な反対側の一辺部の両側の隅角部上方に係止した他の一対の吊上げ線状部材とを介して、前記住宅ユニットを４箇所の偶角部で吊上げることを特徴とする住宅ユニットの吊上げ構造を提供することにより、上記目的を達成したものである（請求項１記載の発明）。
【０００７】
また、本発明の住宅ユニットの吊上げ構造によれば、前記一辺部と平行な反対側の一辺部にもまた、前記仮設支持梁と、これの両側の前記仮設吊り支柱と、前記柱部材又は他の仮設吊り柱材とによる門型支持枠が設けられ、前記他の一対の吊上げ線状部材は、該門型支持枠の仮設支持梁に固定した一対の吊上げ支持金具に各々係止されるようにすることもできる（請求項２記載の発明）。
【０００８】
【発明の実施の形態】
以下本発明の好ましい実施形態を添付図面を参照しつつ詳細に説明する。図１に示す本発明の第１実施形態に係る住宅ユニットの吊上げ構造１０は、一例として枠組壁工法によるユニット住宅を構成する複数の住宅ユニットのうち、６面体形状に割付けられ、床材１１から立設配置される柱部材としての竪枠１２が床材１１の４箇所の隅角部１７ａ，１７ｂ（２箇所のみ図示）の少なくとも一箇所には設けられていない住宅ユニット１３を、容易且つ安定した状態で吊上げるための吊上げ構造である。
【０００９】
すなわち、本第１実施形態によれば、住宅ユニット１３は、設計されたユニット住宅を複数の領域に割付けらて得られた６面体形状の領域を占める形状を有しており、その底面部には矩形形状の床下地パネル１４等からなる床材１１が設けられていると共に、この床材１１の一短辺部１５に沿って設けられる側壁構造体１６が当該一短辺部１５の一方の端部を除いて設けられることから、この側壁構造体１６が設けられていない一方の端部に位置する隅角部１７ａには、柱部材（竪枠１２）が立設配置されていない構造となっている。
【００１０】
本第１実施形態の吊上げ構造１０は、このような一短辺部１５の一方の隅角部１７ａに柱部材が設けられていない住宅ユニット１３を吊上げるための構造であって、柱部材が設けられていない床材１１の隅角部１７ａには、床材１１に下端を固定した仮設吊り支柱１８を立設配置すると共に、この仮設吊り支柱１８の上端に一端部を固定した仮設支持梁１９を、床材１１の一短辺部１５の上方において当該一短辺部１５と平行に配設し、且つ仮設支持梁１９の他端部を一短辺部１５の他方の隅角部１７ｂに下端を固定して立設配置した竪枠１２の上端に固定することにより、仮設支持梁１９と、これの両側の仮設吊り支柱１８と、竪枠とによる門型支持枠２０を形成する。そして、仮設吊り支柱１８と竪枠１２の上方に配置して門型支持枠２０の仮設支持梁１９に固定した一対の吊上げ支持金具２１に、これらの一対の吊上げ支持金具２１の中間部の上方から吊下げられた一対の吊上げ線状部材２２を各々係止して、この一対の吊上げ線状部材２２と、一短辺部１５と平行な反対側の一短辺部（図示せず）の両側の隅角部上方に係止した他の一対の吊上げ線状部材（図示せず）とを介して、住宅ユニット１３を４箇所の偶角部で吊上げることによって構成される。
【００１１】
本第１実施形態によれば、床材１１の一短辺部１５の柱部材が設けられていない隅角部１７ａに立設配置される仮設吊り支柱１８は、図２にも示すように、例えば縦横３２ｍｍの正方形断面を有する鋼製角形の中空パイプ２３の両端に、内側面にネジ溝が切られた長ナット２４を中空パイプ２３から突出させて状態で固定してなるものである。この仮設吊り支柱１８は、床材１１の隅角部１７ａに形成された固定孔３０に下端の長ナット２４を挿入して床材１１の内部に取り付けられた吊上げ用固定ボルトに螺合することにより、その下端を固定して床材１１に立設配置される。また上端の長ナット２４には、後述する仮設支持梁１９の上面プレート２５及び下面プレート２６や、吊上げ支持金具２１のハット形玉掛金具２７とを挟み込みつつ上端固定ボルト２８が螺合されて、隅角部１７ａの上方において仮設吊り支柱１８と仮設支持梁１９と吊上げ支持金具２１とが一体固定されることになる（図４参照）。
【００１２】
また、床材１１の一短辺部１５の上方に配設される仮設支持梁１９は、図３（ａ），（ｂ）にも示すように、例えば仮設吊り支柱１８と同様の縦横３２ｍｍの正方形断面を有する鋼製角形の一対の中空パイプ２９を２５ｍｍ程度の間隔をおいて２本平行に並べて配置し、各５枚の上面プレート２５及び下面プレート２６を表裏に各々取り付けて構成される、枠組壁工法に用いられる木製材料と略同様の断面形状を有する縦長部材である。この仮設支持梁１９は、住宅ユニット１３を吊上げる際に一対の吊上げ線状部材２２と共に三角形を形成し（図１参照）、当該三角形の底辺部分に負荷される軸方向圧縮力を負担するのに十分な強度を備えている。また各５枚の上面プレート２５及び下面プレート２６は、大きさ、形状の異なる複数種類の住宅ユニットに対応させて当該仮設支持梁１９を用いることができるように、一対の中空パイプ２９の上面側及び下面側に所定の間隔をおいて配置されて互いに重なるように取り付けられると共に、各上面プレート２５及び下面プレート２６には、上端固定ボルト２８を挿通させるための複数の挿通孔３１が、一対の中空パイプ２９の間隔部分を覆う幅方向の中央部分に開口形成されている。また、各上面プレート２５には、吊上げ支持金具２１のハット形玉掛金具２７を係止するためのフックピン３２が上方に突出して複数設けられている。
【００１３】
門型支持枠２０の仮設支持梁１９に固定した一対の吊上げ支持金具２１は、図４にも示されるように、一対のＬ字形断面部を背向かいに配置すると共にその上端を上板部で連結してなるハット形断面のハット形玉掛金具２７と、このハット形玉掛金具２７の立上り部分の側面にヒンジ結合されて回転可能に取り付けられた吊上げ用シャックル金具３３とによって構成される。またハット形玉掛金具２７の上板部には上端固定ボルト２８を挿通させるための挿通孔３４が開口形成されていると共に、ハット形玉掛金具２７の底面部には、一対のＬ字形断面部の間隔部分に配置されて、係止スリット３５を有する係止片３６が取り付けられている。吊上げ支持金具２１は、係止スリット３５を介して係止片３６をフックピン３２に係止しつつ、仮設支持梁１９の端部側から中央側に向けて上面プレート２５の上面に沿ってスライド移動させることにより、仮設支持梁１９の上面プレート２５に取り付けられることになる。
【００１４】
そして、本第１実施形態によれば、柱部材が設けられていない隅角部１７ａの上方においては、仮設支持梁１９の上面プレート２５及び下面プレート２６と、吊上げ支持金具２１のハット形玉掛金具２７とを挟み込むようにしつつ、上面プレート２５及び下面プレート２６の挿通孔３１とハット形玉掛金具２７の挿通孔３４とに上端固定ボルト２８を連続して挿通し、挿通した上端固定ボルト２８を仮設吊り支柱１８の上端の長ナット２４に締結固定することにより、当該隅角部１７ａの上方において仮設吊り支柱１８の上端と仮設支持梁１９の一端部と吊上げ支持金具２１とが強固に一体固定されることになる。
【００１５】
一方、柱部材としての竪枠１２が設けられている隅角部１７ｂの上方においては、図１に示すように、竪枠１２の上端の上枠３７との接合部分に、倒立Ｌ字形断面のボルト締結金具３８が固定されており、仮設支持梁１９の上面プレート２５及び下面プレート２６と、吊上げ支持金具２１のハット形玉掛金具２７とを挟み込むようにしつつ、上面プレート２５及び下面プレート２６の挿通孔３１とハット形玉掛金具２７の挿通孔３４とに締結固定ボルト３９を連続して挿通し、挿通した締結固定ボルト３９を竪枠１２の上端のボルト締結金具３８に締結固定することにより、当該隅角部１７ｂの上方において竪枠１２の上端と仮設支持梁１９の他端部と吊上げ支持金具２１とが強固に一体固定されることになる。
【００１６】
また、本第１実施形態によれば、上記一短辺部１５と平行な反対側の一短辺部（図示せず）には、上記一短辺部１５に設けられた門型支持枠２０と略同様の構成を有する、仮設支持梁とこれの両側の仮設吊り支柱と竪枠とからなる門型支持枠や、両側の偶部部に各々立設配置した竪枠の上端を上枠や頭つなぎによって一体として連結してなる門型支持枠、或いは後述する第２実施形態の門型支持枠４５と略同様の構成を有する、仮設支持梁とこれの両側の仮設吊り支柱と他の仮設吊り支柱とからなる門型支持枠が設けられており、これらの門型支持枠の仮設支持梁や、上枠や頭つなぎの両端部にも、上記吊上げ支持金具２１と同様の吊上げ支持金具が各々取り付けられている。
【００１７】
さらに、本第１実施形態によれば、例えばクレーン等の吊上げ用の重機から天秤形吊上げ器具４０が吊下げられており、この天秤形吊上げ器具４０に取り付けられたチェーンやワイヤー等からなる吊上げ線状部材２２を介して、住宅ユニット１３を４箇所の偶角部１７ａ，１７ｂで吊上げる。すなわち、天秤形吊上げ器具４０は、矩形の平面形状を有する住宅ユニット１３の長手方向の長さと略同様の長さを有する鋼製支持パイプ４１と、この鋼製支持パイプ４１の両端部から各々吊下げられる各一対の吊上げ線状部材２２と、吊上げ用の重機の吊下げフックと鋼製支持パイプ４１の両端部との間に介在する吊下げ支持チェーン４２とからなる。そして、鋼製支持パイプ４１を住宅ユニット１３の長手方向と平行に配置しつつ住宅ユニット１３の中央上方に配設することによって、鋼製支持パイプ４１の両端部は、一短辺部１５及び反対側の一短辺部の上方の仮設支持梁１９や上枠等に固定された一対の吊上げ支持金具２１の中間部の上方に配置されることになり、当該中間部の上方から吊下げられて各吊上げ支持金具２１の吊上げ用シャックル金具３３に係止された各一対の吊上げ線状部材２２を介して、住宅ユニット１３は、４箇所の偶角部１７ａ，１７ｂで吊上げられることになる。
【００１８】
ここで、各一対の吊上げ線状部材２２は、一対の吊上げ支持金具２１の中間部の上方から吊下げられて各吊上げ支持金具２１に係止され、仮設支持梁１９や上枠等と共に二等辺三角形を形成しているので、各門型支持枠２０をこれの中央上方から支持できることにより、吊上げ時に各門型支持枠２０を住宅ユニット１３の内側或いは外側に傾倒させる力が生じるのを回避することができ、これによって住宅ユニット１３を安定した状態で吊り上げることを可能になる。
【００１９】
そして、本第１実施形態によれば、床材１１から立設配置される柱部材が当該床材１１の４箇所の隅角部の少なくとも一箇所には設けられていない６面体形状に割付られた住宅ユニット１３を、容易且つ安定した状態で吊上げることが可能になる。すなわち、本第１実施形態によれば、床材１１から柱部材が立設配置されていない隅角部１７ａを含む一短辺部１５に、仮設吊り支柱１８と仮設支持梁１９とによる門型支持枠２０を、高度な技術や相当の熟練を要することなく容易に形成することができると共に、門型支持枠２０の仮設支持梁１９に固定した一対の吊上げ支持金具２１の中間部の上方から吊下げられた一対の吊上げ線状部材２２を介して、住宅ユニット１３を４箇所の偶角部１７ａ，１７ｂで吊上げるので、安定した状態で住宅ユニット１３の吊上げ作業や据付け作業を行うことが可能になる。
【００２０】
図５は、本発明の第２実施形態に係る住宅ユニットの吊上げ構造４３を示すものであり、本第２実施形態の吊上げ構造４３によれば、例えば６面体形状に割付けられ、一短辺部４４に沿って側壁構造体が全く設けられておらず、したがって一短辺部４４の両側の隅角部４６ａ，４６ｂに、いずれも柱部材が立設配置されていな住宅ユニット４７を吊上げるための吊上げ構造として採用されたものである。
【００２１】
すなわち、本第２実施形態の吊上げ構造４３によれば、住宅ユニット４７の一方の隅角部４６ａには、床材４８に下端を固定した仮設吊り支柱４９を立設配置すると共に、この仮設吊り支柱４９の上端に一端部を固定した仮設支持梁５０を、床材４８の一短辺部４４の上方に配設し、且つ仮設支持梁５０の他端部を一短辺部４４の他方の隅角部４６ｂに下端を固定して立設配置した他の仮設吊り支柱５１の上端に固定することにより、仮設支持梁５０と、これの両側の仮設吊り支柱４９と他の仮設吊り支柱５１とによる門型支持枠４５を形成する。そして、仮設支持梁５０に固定した一対の吊上げ支持金具５２に、これらの一対の吊上げ支持金具５２の中間部の上方から吊下げられた一対の吊上げ線状部材５３を各々係止して、この一対の吊上げ線状部材５３と、一短辺部４４と平行な反対側の一短辺部（図示せず）の両側の隅角部上方に係止した他の一対の吊上げ線状部材（図示せず）とを介して、住宅ユニット４７を４箇所の偶角部４６ａ，４６ｂで吊上げる。
【００２２】
そして、本第２実施形態によっても、柱部材が立設配置されていない一短辺部４４に、仮設吊り支柱４９，５１と仮設支持梁５０とによる門型支持枠４５を形成すると共に、一対の吊上げ支持金具５２の中間部の上方から吊下げられた一対の吊上げ線状部材５３を介して住宅ユニット４７を吊上げて、上記第１実施形態の吊上げ構造１０と同様の作用効果を奏することになる。
【００２３】
なお、本発明は上記各実施形態に限定されることなく種々の変更が可能である。例えば、門型支持枠が設けられる一辺部は、住宅ユニットの一短辺部である必要は必ずしもなく、一長辺部であっても良い。また、本発明は、枠組壁工法による住宅ユニットに限定されることなく、在来軸組構法等、その他の種々の工法によるユニット住宅のための住宅ユニットの吊上げ構造として採用することができる。さらに、仮設吊り支柱、仮設支持梁、吊上げ支持金具等は、上記各実施形態のものに限定されることなく、その他の種々の形状、構成を有するものを使用することができる。
【００２４】
【発明の効果】
本発明の住宅ユニットの吊上げ構造によれば、床材から立設配置される柱部材が当該床材の４箇所の隅角部の少なくとも一箇所には設けられていない６面体形状に割付られた住宅ユニットを、容易且つ安定した状態で吊上げることができる。
【図面の簡単な説明】
【図１】本発明の第１実施形態に係る吊上げ構造を採用したの住宅ユニットの略示斜視図である。
【図２】仮設吊り支柱の一部破断側面図である。
【図３】（ａ）は仮設支持梁の平面図、（ｂ）は（ａ）のＡ−Ａに沿った断面図である。
【図４】仮設吊り支柱と仮設支持梁と吊上げ支持金具とが一体固定される、仮設吊り支柱の上端部分の分解斜視図である。
【図５】本発明の第２実施形態に係る吊上げ構造を採用したの住宅ユニットの略示斜視図である。
【符号の説明】
１０，４３　住宅ユニットの吊上げ構造
１１，４８　床材
１２　竪枠（柱部材）
１３，４７　住宅ユニット
１５，４４　一短辺部
１６　側壁構造体
１７ａ，１７ｂ，４６ａ，４６ｂ　隅角部
１８，４９　仮設吊り支柱
１９，５０　仮設支持梁
２０，４５　門型支持枠
２１，５２　吊上げ支持金具
２２，５３　吊上げ線状部材
２３，２９　中空パイプ
２４　長ナット
２７　ハット形玉掛金具
２８　上端固定ボルト
３３　吊上げ用シャックル金具
３７　上枠
３８　ボルト締結金具
３９　締結固定ボルト
４０　天秤形吊上げ器具
５１　他の仮設吊り支柱
【図１】
2004084326.tif 000003
【図２】
2004084326.tif 000004
【図３】
2004084326.tif 000005
【図４】
2004084326.tif 000006
【図５】
2004084326.tif 000007